(57)【要約】      （修正有）【課題】光ファイバのたわみを許容する空間の確保が容易な構造を提供する。【解決手段】光ファイバ４を有する光ケーブル３を把持する把持部３４と、前記把持部に把持された前記光ケーブルから口出しされた前記光ファイバを挿通させる挿通部３５とを備える把持部材３０であって、前記挿通部は、一対の側壁部３２を有しており、前記一対の側壁部の対向する内壁面によってスリット３６が形成されており、前記スリットは、断面矩形状の前記把持部材の外面に対して傾斜して形成されている。【選択図】図３
2019086576.tif 000002
【特許請求の範囲】
【請求項１】
光ファイバを有する光ケーブルを把持する把持部と、
前記把持部に把持された前記光ケーブルから口出しされた前記光ファイバを挿通させる挿通部と
を備える把持部材であって、
前記挿通部は、一対の側壁部を有しており、
前記一対の側壁部の対向する内壁面によってスリットが形成されており、
前記スリットは、断面矩形状の前記把持部材の外面に対して傾斜して形成されている
ことを特徴とする把持部材。
【請求項２】
請求項１に記載の把持部材であって、
前記側壁部の前端に、前記光ファイバを前記スリットの傾斜部に誘導する誘導部が形成されている、
ことを特徴とする把持部材。
【請求項３】
請求項１又は２に記載の把持部材であって、
前記光ファイバのたわむ方向を規制する規制部を有する、
ことを特徴とする把持部材。
【請求項４】
請求項１〜３の何れかに記載の把持部材であって、
前記スリットが前記把持部材の第１面、及び、前記第１面とは反対側の第２面に開口している、
ことを特徴とする把持部材。
【請求項５】
請求項４に記載の把持部材であって、
前記側壁部には、前記スリットは開口していない、
ことを特徴とする把持部材。
【請求項６】
請求項１〜５の何れかに記載の把持部材であって、
前記把持部材の端面において前記スリットが対角線上に形成されている、
ことを特徴とする把持部材。
【請求項７】
光ファイバを有する光ケーブルを把持する把持部材と、
前記光ファイバと突き当たる内蔵ファイバの配置されたメカニカルスプライスと、
前記メカニカルスプライスを収容する収容部と、前記把持部材を固定する固定部と、前記収容部と前記固定部との間で前記光ファイバを挿通させるファイバ挿通部とを有するハウジングと、
を備え、
前記ファイバ挿通部は、断面矩形状の前記把持部材の外面に対して傾斜したスリットを有する、
ことを特徴とする光コネクタ。
【請求項８】
光ファイバを有する光ケーブルを把持する把持部と、
前記把持部に把持された前記光ケーブルから口出しされた前記光ファイバを挿通させる挿通部と
を備える把持部材であって、
前記挿通部は、一対の側壁部を有しており、
前記一対の側壁部の対向する内壁面によってスリットが形成されており、
前記スリットは、断面楕円形状の前記把持部材の長径方向に形成されている
ことを特徴とする把持部材。
【請求項９】
光ファイバを有する光ケーブルを把持する把持部材と、
前記光ファイバと突き当たる内蔵ファイバの配置されたメカニカルスプライスと、
前記メカニカルスプライスを収容する収容部と、前記把持部材を固定する固定部と、前記収容部と前記固定部との間で前記光ファイバを挿通させるファイバ挿通部とを有するハウジングと、
を備え、
前記ファイバ挿通部は、断面楕円形状の前記把持部材の長径方向にスリットを有する、
ことを特徴とする光コネクタ。
【発明の詳細な説明】
【技術分野】
【０００１】
本発明は、把持部材、及び、光コネクタに関する。
【背景技術】
【０００２】
光ファイバの端面同士を突き合わせることによって光ファイバを接続する装置として、例えば現場組立型光コネクタが知られている。現場組立型光コネクタは、光ファイバ敷設現場において光ケーブルの端末に容易に組み立て可能な構造の光コネクタである。組立前の光コネクタのフェルールには、工場にて予め内蔵ファイバが取り付けられているとともに、内蔵ファイバの端部はメカニカルスプライス部に配置されている。組み立て作業現場において、把持部材に光ケーブルの外被を把持させるとともに、光ケーブルから口出しされた挿入ファイバの端部がメカニカルスプライス部に挿入され、メカニカルスプライス部において光ファイバ同士が突き合わせ接続されることになる。
【０００３】
特許文献１には、現場組立型光コネクタに用いられる把持部材の構造が記載されている。特許文献１記載の把持部材では、一対の側壁部の互いに対向する面に把持用突起が形成されており、把持用突起を光ケーブルの外被に食い込ませて、一対の側壁部の間に光ケーブルを把持固定させている。
【先行技術文献】
【特許文献】
【０００４】
【特許文献１】国際公開第２０１３／１２９４８５号
【発明の概要】
【発明が解決しようとする課題】
【０００５】
把持部材に把持された光ケーブルの光ファイバは、メカニカルスプライスの内蔵ファイバに突き当てたときに、たわむことになる。このため、光コネクタは、光ファイバのたわみを許容する内部構造にする必要がある。但し、光コネクタの小型化に伴い、光ファイバのたわみを許容する空間を光コネクタの内部に確保することが困難であった。
【０００６】
本発明は、光ファイバのたわみを許容する空間の確保が容易な構造を提供することを目的とする。
【課題を解決するための手段】
【０００７】
上記目的を達成するための主たる発明は、光ファイバを有する光ケーブルを把持する把持部と、前記把持部に把持された前記光ケーブルから口出しされた前記光ファイバを挿通させる挿通部とを備える把持部材であって、前記挿通部は、一対の側壁部を有しており、前記一対の側壁部の対向する内壁面によってスリットが形成されており、前記スリットは、断面矩形状の前記把持部材の外面に対して傾斜して形成されていることを特徴とする把持部材である。
【０００８】
本発明の他の特徴については、後述する明細書及び図面の記載により明らかにする。
【発明の効果】
【０００９】
本発明によれば、光ファイバのたわみを許容する空間の確保が容易である。
【図面の簡単な説明】
【００１０】
【図１】図１Ａは、本実施形態の光コネクタ１００の斜視図である。図１Ｂは、本実施形態の光コネクタ１００の分解斜視図である。
【図２】図２Ａ及び図２Ｂは、光コネクタ１００の内部構造の説明図である。
【図３】光ケーブル３を把持させた状態の把持部材３０の斜視図である。
【図４】図２ＢのＡ−Ａ断面図である。
【図５】図５Ａは、第２実施形態の把持部材３０の斜視図である。図５Ｂは、第２実施形態の光コネクタ１００の内部構造の断面図である。
【図６】第３実施形態の光コネクタ１００の内部構造の断面図である。
【図７】図７Ａは、第４実施形態の光コネクタ１００の斜視図である。図７Ｂは、第４実施形態の光コネクタ１００の後側ハウジング１５内の断面図である。
【図８】第５実施形態の光コネクタ１００の内部構造の断面図である。
【発明を実施するための形態】
【００１１】
後述する明細書及び図面の記載から、少なくとも以下の事項が明らかとなる。
【００１２】
光ファイバを有する光ケーブルを把持する把持部と、前記把持部に把持された前記光ケーブルから口出しされた前記光ファイバを挿通させる挿通部とを備える把持部材であって、前記挿通部は、一対の側壁部を有しており、前記一対の側壁部の対向する内壁面によってスリットが形成されており、前記スリットは、断面矩形状の前記把持部材の外面に対して傾斜して形成されていることを特徴とする把持部材が明らかとなる。このような把持部材によれば、光ファイバを把持部材の外面に対して斜めにたわませることができる。よって、光ファイバのたわみを許容する空間の確保が容易である。
【００１３】
前記側壁部の前端に、前記光ファイバを前記スリットの傾斜部に誘導する誘導部が形成されていることが望ましい。これにより、挿通部における光ファイバの全体をスリットに沿って変位させることができる。
【００１４】
前記光ファイバのたわむ方向を規制する規制部を有することが望ましい。これにより、光ファイバの突き当て時に光ファイバをスリット（側壁部の内壁面）に向かって移動させることができる。
【００１５】
前記スリットが前記把持部材の第１面、及び、前記第１面とは反対側の第２面に開口していることが望ましい。これにより、光ファイバのたわみ方向の制約を無くすことができる。
【００１６】
前記側壁部には、前記スリットは開口していないことが望ましい。これにより、把持部材に捻れ力が加わらないようにできる。
【００１７】
前記把持部材の端面において前記スリットが対角線上に形成されていることが望ましい。これにより、光ファイバの大きなたわみを許容できる。
【００１８】
また、光ファイバを有する光ケーブルを把持する把持部材と、前記光ファイバと突き当たる内蔵ファイバの配置されたメカニカルスプライスと、前記メカニカルスプライスを収容する収容部と、前記把持部材を固定する固定部と、前記収容部と前記固定部との間で前記光ファイバを挿通させるファイバ挿通部とを有するハウジングと、を備え、前記ファイバ挿通部は、断面矩形状の前記把持部材の外面に対して傾斜したスリットを有することを特徴とする光コネクタが明らかとなる。このような光コネクタによれば、光ファイバを把持部材の外面に対して斜めにたわませることができる。よって、光ファイバのたわみを許容する空間の確保が容易である。
【００１９】
また、光ファイバを有する光ケーブルを把持する把持部と、前記把持部に把持された前記光ケーブルから口出しされた前記光ファイバを挿通させる挿通部とを備える把持部材であって、前記挿通部は、一対の側壁部を有しており、前記一対の側壁部の対向する内壁面によってスリットが形成されており、前記スリットは、断面楕円形状の前記把持部材の長径方向に形成されていることを特徴とする把持部材が明らかとなる。このような把持部材によれば、光ファイバを断面楕円形状の長径方向にたわませることができる。よって、光ファイバのたわみを許容する空間の確保が容易である。
【００２０】
また、光ファイバを有する光ケーブルを把持する把持部材と、前記光ファイバと突き当たる内蔵ファイバの配置されたメカニカルスプライスと、前記メカニカルスプライスを収容する収容部と、前記把持部材を固定する固定部と、前記収容部と前記固定部との間で前記光ファイバを挿通させるファイバ挿通部とを有するハウジングと、を備え、前記ファイバ挿通部は、断面楕円形状の前記把持部材の長径方向にスリットを有することを特徴とする光コネクタが明らかとなる。このような光コネクタによれば、光ファイバを断面楕円形状の把持部材の長径方向にたわませることができる。よって、光ファイバのたわみを許容する空間の確保が容易である。
【００２１】
＝＝＝第１実施形態＝＝＝
＜基本構成＞
図１Ａは、本実施形態の光コネクタ１００の斜視図である。図１Ｂは、本実施形態の光コネクタ１００の分解斜視図である。また、図２Ａ及び図２Ｂは、光コネクタ１００の内部構造の説明図である。
【００２２】
以下の説明では、図１Ａに示すように各方向を定義する。すなわち、光ケーブル３や光ファイバ４の光軸方向を「前後方向」とし、光ケーブル３の延び出た側を「後」とし、逆側（光コネクタ１００のフェルール１１の端面側）を「前」とする。また、介挿部材１９の挿抜方向を上下方向とし、光コネクタ本体１０から介挿部材１９を引き抜く側（図１Ｂ参照）を「下」とし、逆側を「上」とする。また、前後方向及び上下方向に垂直な方向を「左右方向」とし、後側から前側を見たときの右側を「右」とし、左側を「左」とする。
【００２３】
本実施形態の光コネクタ１００は、メカニカルスプライス法により光ファイバを接続する現場組立型光コネクタであり、光ケーブルの端末に組み立てられる光コネクタである。また、本実施形態の光コネクタ１００は、ＳＣ形光コネクタよりも小型で高密度実装が可能なＬＣ形光コネクタである。
【００２４】
光コネクタ１００は、光コネクタ本体１０と、把持部材３０と、光ケーブル３とを備えている。
【００２５】
光コネクタ本体１０は、フェルール１１と、メカニカルスプライス部１２と、ハウジング１３と、介挿部材１９とを有している。
【００２６】
フェルール１１は、ここでは単心光コネクタに使用される円筒形状のフェルールである。
【００２７】
メカニカルスプライス部１２は、メカニカルスプライス法により内蔵ファイバ（不図示）と挿入ファイバ（ここでは光ケーブル３の光ファイバ４）とを軸合わせ（調心）するとともに、内蔵ファイバ及び挿入ファイバを固定する部材（光ファイバ接続装置）である。内蔵ファイバの前端は、フェルール１１に内挿固定されるとともに、フェルール１１とともに端面が研磨されている。内蔵ファイバの後端は、メカニカルスプライス部１２に配置されている。
【００２８】
また、メカニカルスプライス部１２は、後端に開口部１２Ａを有している。開口部１２Ａは、挿入ファイバ（光ファイバ４）の挿入口である。
【００２９】
ハウジング１３は、前側ハウジング１４と後側ハウジング１５を備えている。
【００３０】
前側ハウジング１４は、ハウジング１３の前側を構成する部位であり、前側収容部１４Ａを有している。前側収容部１４Ａは、メカニカルスプライス部１２の前側部分を収容する部位である。
【００３１】
後側ハウジング１５は、ハウジング１３の後側を構成する部位である。図２Ａ及び図２Ｂに後側ハウジング１５の内部構造を図示している。後側ハウジング１５は、後側収容部１５１と、固定部１５２と、ファイバ挿通部１５３とを有している。
【００３２】
後側収容部１５１は、メカニカルスプライス部１２の後側部分を収容する部位であり、後側ハウジング１５の前側に設けられている。
【００３３】
固定部１５２は、把持部材３０を固定する部位であり、後側ハウジング１５の後側に配置されている。固定部１５２は、図１Ａに示すように、内壁面１５Ａと、係止部１５Ｂとを有している。
【００３４】
内壁面１５Ａは、固定部１５２の内側の面であり、把持部材３０を収容するための収容空間を形成する面である。このため、内壁面１５Ａは、把持部材３０の外形（断面矩形状）に対応する矩形状に形成されている。上記の収容空間は、固定部１５２の後端面で開口しており、この開口から把持部材３０を挿入することになる。内壁面１５Ａは、把持部材３０を前後方向にスライドさせるスライド面となる。
【００３５】
係止部１５Ｂは、固定部１５２の左右の側壁に形成されている。係止部１５Ｂは、把持部材３０の側壁に形成された爪部３２１（後述）を係止する部位である。
【００３６】
ファイバ挿通部１５３は、固定部１５２と後側収容部１５１（メカニカルスプライス部１２）との間で、光ファイバ４を挿通させる部位である。図２Ａ及び図２Ｂに示すように、ファイバ挿通部１５３は、前側ほど徐々に空間が狭くなっている。これは、光ファイバ４をメカニカルスプライス部１２の開口部１２Ａに案内するためである。また、ファイバ挿通部１５３は、後側ほど徐々に空間が広がっている。これは、図２Ｂのように、光ファイバ４のたわみを許容させる空間を確保するためである。なお、ファイバ挿通部１５３の後端（図２ＢのＡ−Ａ断面の位置）では、ファイバ挿通部１５３は、把持部材３０の外形形状に適合した形状（空間）となっている。
【００３７】
介挿部材１９は、光コネクタ本体１０のメカニカルスプライス部１２の隙間を開閉させる部材である。光コネクタ本体１０の下面には挿通穴（不図示）が形成されており、この挿通穴に、介挿部材１９の上側から延び出たくさび１９Ａが挿通される。
【００３８】
把持部材３０は、光ケーブル３を把持する部材である。把持部材３０は、光ケーブル３を把持した状態で光コネクタ本体１０の固定部１５２に挿入される。本実施形態の把持部材３０の構成については後述する。
【００３９】
光ケーブル３は、ここでは、ドロップケーブルやインドアケーブルを想定している。ドロップケーブルやインドアケーブルのような光ケーブル３は、光ファイバ４と一対の線状の抗張力体とを外被で一括被覆した断面角型の光ケーブルである。この場合、外被が比較的硬いので、把持部材３０の把持用突起（後述）を外被に食い込ませて光ケーブル３を把持することが比較的容易である。但し、これには限られず、例えば、光ファイバの周囲に繊維状抗張力体を配置して外被で被覆した光コード（断面丸型のコード）であってもよい。
【００４０】
現場組立型の光コネクタ１００を組立てる際には、まず、光ケーブル３から光ファイバ４を取り出す（口出しする）。そして、把持部材３０に、光ケーブル３を把持させる。
【００４１】
次に、不図示の治具を用いて、光ファイバ４の先端部分の被覆を除去し、光ファイバ４を所定長さでカットする。
【００４２】
そして、把持部材３０に把持された光ファイバ４をハウジング１３（後側ハウジング１５）の固定部１５２に固定する（図２Ｂ参照）。このとき、把持部材３０に把持された光ファイバ４は、メカニカルスプライス部１２の内蔵ファイバ（不図示）と突き当たり、後側ハウジング１５の内部で撓むことになる（図２Ｂ参照）。
【００４３】
このように光ファイバ同士（ここでは、内蔵ファイバと光ファイバ４）を突きあわせた状態で、介挿部材１９を光コネクタ本体１０から外す（くさび１９Ａを引き抜く）ことによって、メカニカルスプライス部１２の隙間が閉じて、光ファイバがメカニカルスプライス部１２に固定される。
【００４４】
＜把持部材３０＞
図３は、光ケーブル３を把持させた状態の把持部材３０の斜視図である。
【００４５】
本実施形態の把持部材３０は、底壁部３１と、一対の側壁部３２と、蓋３３と、把持部３４と、挿通部３５と、スリット３６と、規制部３７と、間隙３８とを備えている。
【００４６】
底壁部３１は、把持部材３０の下部（底部）を構成する部位である。
【００４７】
一対の側壁部３２は、底壁部３１の左右両端に立設されている。一対の側壁部３２は、それぞれ爪部３２１を有している。爪部３２１は、一対の側壁部３２の外側の面から突出している。把持部材３０を後側ハウジング１５の固定部１５２に挿入すると、爪部３２１が、係止部１５Ｂに引っ掛かる。これにより、把持部材３０が固定部１５２に固定される。
【００４８】
蓋３３は、把持部材３０の底壁部３１及び一対の側壁部３２に対して開閉可能に構成されている。蓋３３は、把持部３４のみに設けられている。
【００４９】
把持部３４は、光ケーブル３を把持する部位である。把持部３４において、一対の側壁部３２の対向する面（内面）には、不図示の把持用突起が設けられており、一対の側壁部３２の間に光ケーブル３を収容すると、把持用突起が光ケーブル３の外被に食い込む。これにより光ケーブル３を把持することができる。また、光ケーブル３を一対の側壁部３２の間に収容した状態で蓋３３を閉じると、蓋３３と底壁部３１とによって光ケーブル３を上下方向にも挟む（把持する）ことができる。蓋３３と底壁部３１の内面に突起を設けて光ケーブル３の外被に食い込ませると、より確実に光ケーブル３を把持することができる。
【００５０】
挿通部３５は、光ケーブル３から口出しした光ファイバ４を挿通させる部位であり、把持部３４よりも前側に設けられている。また、挿通部３５において、一対の側壁部３２の間にはスリット３６が形成されている。
【００５１】
図４は、図２ＢのＡ−Ａ断面図である。なお、図４は、図２ＢのＡ−Ａ断面を前から見た図である。図４には把持部材３０のスリット３６の形状が示されている。また、図４には突き当て前の光ファイバ４の位置（Ｐ１）と、突き当て後（たわんだ状態）の光ファイバ４の位置（Ｐ２）の一例が示されている。なお、光ファイバ４の位置Ｐ１、Ｐ２は、Ａ−Ａ断面における位置である。
【００５２】
スリット３６は、一対の側壁部３２の対向する内壁面によって構成されている。本実施形態では、この内壁面は、上下方向及び左右方向に対して傾斜している。すなわち、スリット３６は、断面矩形状の把持部材３０の外面に対して傾斜して形成されている。以下、スリット３６を構成する一対の側壁部３２の対向する内壁面のことを傾斜面３６Ａ（但し左側の側壁部３２については傾斜面３６Ａ´とする）ともいう。
【００５３】
右側の側壁部３２の傾斜面３６Ａは、左下を向いた傾斜面（法線が左下向きの傾斜面）であり、表面が上側ほど左側に位置している。これにより、右側の側壁部３２の傾斜面３６Ａは、図４に示すように、光ファイバ４がＰ１の位置から上側に移動したとき（上側にたわんだとき）に左側（Ｐ２の位置）に案内する機能を有している。このため、右側の側壁部３２の傾斜面３６Ａは、少なくとも光ファイバ４の初期の位置Ｐ１の真上に配置されている。
【００５４】
左側の側壁部３２の傾斜面３６Ａ´は、右側の側壁部３２の傾斜面３６Ａと対向している。左側の側壁部３２の傾斜面３６Ａ´は、右上を向いた傾斜面（法線が右上向きの傾斜面）であり、表面が左側ほど上側に位置している。これにより、左側の側壁部３２の傾斜面３６Ａ´は、光ファイバ４が左側に移動したときに上側に案内する機能を有している。このため、左側の側壁部３２の傾斜面３６Ａ´は、少なくとも光ファイバ４の初期の位置Ｐ１の左側に配置されている。
【００５５】
また、スリット３６は誘導部３６Ｂを有している。誘導部３６Ｂは、右側の側壁部３２の傾斜面３６Ａの前端に形成された傾斜面である。誘導部３６Ｂは、左前下を向いた傾斜面であり、法線が、左下成分だけでなく、前成分も有している。誘導部３６Ｂは、把持部材３０の前端で変位している光ファイバ４を傾斜面３６Ａ（傾斜部に相当）に誘導する。これにより、挿通部３５における光ファイバ４の全体をスリット３６に沿って変位させることができる。なお、誘導部３６Ｂは無くてもよい。
【００５６】
規制部３７は、光ファイバ４の移動方向を規制する部位である。本実施形態の規制部３７は、光ファイバ４の右方向及び下方向への移動を規制するように形成されている。このように、光ファイバ４の右方向及び下方向への移動が規制されるため、光ファイバ４の突き当て時に光ファイバ４が傾斜面３６Ａ（又は傾斜面３６Ａ´）に向かって移動することになる。
【００５７】
間隙３８は、一対の側壁部３２の対向する側面の間に形成されている。この間隙３８は、一対の側壁部３２の内側への変位を許容するための部位である。間隙３８を設けていることにより、把持部材３０をハウジング１３（後側ハウジング１５）の固定部１５２に収容したときに、一対の側壁部３２が内側に変位する。これにより、光ケーブル３の把持が強固になる。
【００５８】
なお、図３及び図４に示すように、スリット３６の開口は、把持部材３０の上面に開いている。これは、一対の側壁部３２がハウジング１３（後側ハウジング１５）の固定部１５２の内壁面１５Ａから力を受けて内側に変位するとき、把持部材３０に捻れ力が加わりにくい構造にするためである。仮に、スリット３６の開口が側壁部３２で開いていた場合、後側ハウジング１５の固定部１５２から押圧力を受けた時に、把持部材３０に捻れ力が加わるおそれが生じる。よって、本実施形態では、スリット３６の開口を把持部材３０の上面に設けている。
【００５９】
以上説明したように、本実施形態の把持部材３０は、光ファイバ４を有する光ケーブル３を把持する把持部３４と、光ケーブル３から口出しされた光ファイバ４を挿通させる挿通部３５を備えている。挿通部３５は、一対の側壁部３２を有しており、一対の側壁部３２の対向する傾斜面３６Ａ、３６Ａ´（内壁面）によって、スリット３６が形成されている。すなわち、スリット３６は、断面矩形状の把持部材３０の外面に対して傾斜して形成されている。これにより、光ファイバ４をメカニカルスプライス部１２の内蔵ファイバ（不図示）と突き当わせたとき、光ファイバ４を把持部材３０の外面に対して斜めにたわませるようにできる。よって、光ファイバ４が真上（又は真横）にたわむ場合と比べて、本実施形態では光ファイバ４を大きくたわませることができ、たわみを許容する空間を光コネクタ１００の内部に確保しやすい。
【００６０】
また、側壁部３２の前端には、光ファイバ４をスリット３６の傾斜面３６Ａ（傾斜部）に誘導する誘導部３６Ｂが形成されている。これにより、把持部材３０の前端で変位している光ファイバ４を傾斜面３６Ａに誘導することができ、挿通部３５における光ファイバ４の全体をスリット３６に沿って変位させることができる。
【００６１】
また、本実施形態の把持部材３０は、光ファイバ４のたわむ方向を規制する規制部３７を有している。これにより、光ファイバ４の突き当て時に、光ファイバ４を傾斜面３６Ａへと確実に案内することができる。
【００６２】
＝＝＝第２実施形態＝＝＝
図５Ａは、第２実施形態の把持部材３０の斜視図である。図５Ｂは、第２実施形態の光コネクタ１００の内部構造の断面図である。なお、図５Ｂは、図２ＢのＡ−Ａ断面を前から見た図である。
【００６３】
第２実施形態の把持部材３０は、図５Ａ及び図５Ｂに示すように、一対の側壁部３２の対向する内壁面（傾斜面３６Ａ、３６Ａ´）が把持部材３０の上端から下端まで連続して形成されている。つまり、第２実施形態の把持部材３０は、スリット３６が、把持部材３０の上面、及び、下面に開口している。なお、第２実施形態では、右側の傾斜面３６Ａは、少なくとも光ファイバ４の初期の位置Ｐ１の真上及び右に配置されている。また、左側の傾斜面３６Ａ´は、少なくとも光ファイバ４の初期の位置Ｐ１の真下及び左に配置されている。また、第２実施形態の把持部材３０では、前述の実施形態のような規制部や（スリット３６下の）底壁部が無い。これにより、光ファイバ４の突き当て時のたわみ方向の制約を無くすことができる。例えば、光ファイバ４がＰ１の位置から上側に移動した場合（上側にたわんだ場合）には、光ファイバ４は右側の側壁部３２の傾斜面３６Ａによって、Ｐ２の位置に案内される。また、例えば、光ファイバ４がＰ１の位置から下側に移動した場合（下側にたわんだ場合）には、光ファイバ４は左側の側壁部３２の傾斜面３６Ａ´によって、Ｐ３の位置に案内される。
【００６４】
なお、第２実施形態においても、スリット３６の開口を側壁部３２に設けていない（側壁部３２には、スリット３６が開口していない）。これにより、把持部材３０を固定部１５２に固定し、固定部１５２の内壁面１５Ａから側壁部３２が左右方向の押圧力を受けたときに、把持部材３２が捻れ変形しにくくなる。
【００６５】
このように、第２実施形態では、把持部材３０の上面、及び、下面にスリット３６が開口しているので、光ファイバ４のたわみ方向の制約を無くすことができる。
【００６６】
＝＝＝第３実施形態＝＝＝
図６は、第３実施形態の光コネクタ１００の内部構造の断面図である。なお、図６は、図２ＢのＡ−Ａ断面を前から見た図である。
【００６７】
第３実施形態では、図６に示すように、断面矩形状の把持部材３０の前端面において、左上の角と右下の角を結ぶ対角線上にスリット３６が形成されている。
【００６８】
この第３実施形態の場合においても、第２実施形態と同様に、光ファイバ４の突き当て時に、スリット３６（傾斜面３６Ａ、３６Ａ´）によって、光ファイバ４がＰ１の位置からＰ２の位置やＰ３の位置に案内される。但し、第３実施形態では、スリット３６が把持部材３０の対角線上に形成されているため、第２実施形態（図５Ｂ）よりも、Ｐ１とＰ２の間の距離、及び、Ｐ１とＰ３の間の距離を大きくすることが可能である。つまり、第３実施形態では、さらにたわみを大きくすることができる。
【００６９】
このように、第３実施形態では、把持部材３０の前端面において、スリット３６が対角線上に形成されているため、光ファイバ４の大きなたわみを許容することができる。
【００７０】
＝＝＝第４実施形態＝＝＝
図７Ａは、第４実施形態の光コネクタ１００の斜視図である。図７Ｂは、第４実施形態の光コネクタ１００の後側ハウジング１５内の断面図である。なお、図７Ｂは、後側ハウジング１５のファイバ挿通部１５３の後端の断面を後側から見た図である。また、第４実施形態の光コネクタ１００では、第３実施形態の把持部材３０（スリット３６が対角線上に形成されたもの）を用いることとする。
【００７１】
第４実施形態では、後側ハウジング１５のファイバ挿通部１５３にスリット１６を設けている。スリット１６は、把持部材３０のスリット３６と対応するように（左上と右下を結ぶ対角線上に）設けられている。また、スリット１６の右側の傾斜面１６Ａは、少なくとも、光ファイバ４の初期の位置Ｐ１の真上及び右に配置されており、スリット１６の左側の傾斜面１６Ａ´は、少なくとも、光ファイバ４の初期の位置Ｐ１の真下及び左に配置されている。
【００７２】
このように、後側ハウジング１５（ハウジング１３）の側にスリット１６を設けてもよい。これにより、突き当て後の光ファイバ４を対角線の方向にたわませるようにすることができる。
【００７３】
なお、この第４実施形態では、把持部材３０にもスリット３６が形成されていることとしたが、これには限られず、後側ハウジング１５のファイバ挿通部１５３のみにスリット１６を設けてもよい。この場合も、光ファイバ４を対角線の方向にたわませることができ、光ファイバ４の大きなたわみを許容することができる。
【００７４】
＝＝＝第５実施形態＝＝＝
図８は、第５実施形態の光コネクタ１００の内部構造の断面図である。なお、図８は、図２ＢのＡ−Ａ断面を前から見た図である。
【００７５】
第５実施形態の把持部材３０は、図８に示すように、外形（断面）が上下方向に長い楕円形状である。また、後側ハウジング１５の固定部１５２の内壁面も、把持部材３０の外形に対応した楕円形状となっている。
【００７６】
第５実施形態においても、把持部材３０は一対の側壁部３２を有しており、一対の側壁部３２の対向する内壁面でスリット３６が構成されている。但し、第５実施形態では、スリット３６を構成する側壁部３２の内壁面は、長径方向（ここでは上下方向）に平行である。つまり、第５実施形態では、断面楕円形状の把持部材３０の長径方向にスリット３６が形成されている。
【００７７】
この場合、光ファイバ４の突き当て時に、光ファイバ４はスリット３６によって楕円の長径方向に案内される（長径方向にたわむ）ことになる。例えば、光ファイバ４が、Ｐ１の位置からＰ２の位置に案内される。これにより、光ファイバ４の大きなたわみを許容することができる。
【００７８】
＜変形例＞
前述の第４実施形態と同様に、ハウジング１３（後側ハウジング１５）のファイバ挿通部１５３にもスリットを設けてもよい。この場合、断面楕円形状の把持部材３０の長径方向にスリットを形成すればよい。この変形例においても、光ファイバ４の突き当て時に、光ファイバ４を楕円の長径の端に向けて案内することができるので、たわみを大きくすることができる。なお、この場合も、把持部材３０のスリット３６は無くてもよい。
【００７９】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８０】
３  光ケーブル、４  光ファイバ、
１０  光コネクタ本体、１１  フェルール、
１２  メカニカルスプライス部、１２Ａ  開口部、
１３  ハウジング、１４  前側ハウジング、１４Ａ  前側収容部、
１５  後側ハウジング、１５Ａ  内壁面、１５Ｂ  係止部、１６  スリット、
１９  介挿部材、１９Ａ  くさび、
３０  把持部材、３１  底壁部、３２  側壁部、３２Ａ  爪部、
３３  蓋、３４  把持部、３５  挿通部、
３６  スリット、３６Ａ  傾斜面、３６Ｂ  誘導部、
３７  規制部、３８  間隙、
１５１  後側収容部、１５２  固定部、１５３  ファイバ挿通部
【図１】
2019086576.tif 000003
【図２】
2019086576.tif 000004
【図３】
2019086576.tif 000005
【図４】
2019086576.tif 000006
【図５】
2019086576.tif 000007
【図６】
2019086576.tif 000008
【図７】
2019086576.tif 000009
【図８】
2019086576.tif 000010
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
光ファイバを有する光ケーブルを把持する把持部と、
前記把持部に把持された前記光ケーブルから口出しされた前記光ファイバを挿通させる挿通部と
を備える把持部材であって、
前記挿通部は、内側に変位可能な一対の側壁部を有しており、
前記一対の側壁部の前記内側で対向する内壁面によってスリットが形成されており、
前記スリットは、断面矩形状の前記把持部材の外面に対して傾斜して形成されている
ことを特徴とする把持部材。
【請求項２】
請求項１に記載の把持部材であって、
前記側壁部の前端に、前記光ファイバを前記スリットの傾斜部に誘導する誘導部が形成されている、
ことを特徴とする把持部材。
【請求項３】
請求項１又は２に記載の把持部材であって、
前記光ファイバのたわむ方向を規制する規制部を有する、
ことを特徴とする把持部材。
【請求項４】
請求項１〜３の何れかに記載の把持部材であって、
前記スリットが前記把持部材の第１面、及び、前記第１面とは反対側の第２面に開口している、
ことを特徴とする把持部材。
【請求項５】
請求項４に記載の把持部材であって、
前記側壁部には、前記スリットは開口していない、
ことを特徴とする把持部材。
【請求項６】
請求項１〜５の何れかに記載の把持部材であって、
前記把持部材の端面において前記スリットが対角線上に形成されている、
ことを特徴とする把持部材。
【請求項７】
光ファイバを有する光ケーブルを把持する把持部と、
前記把持部に把持された前記光ケーブルから口出しされた前記光ファイバを挿通させる挿通部と
を備える把持部材であって、
前記挿通部は、内側に変位可能な一対の側壁部を有しており、
前記一対の側壁部の前記内側で対向する内壁面によってスリットが形成されており、
前記スリットは、断面楕円形状の前記把持部材の長径方向に形成されている
ことを特徴とする把持部材。
【手続補正３】
【補正対象書類名】明細書
【補正対象項目名】０００７
【補正方法】変更
【補正の内容】
【０００７】
上記目的を達成するための主たる発明は、光ファイバを有する光ケーブルを把持する把持部と、前記把持部に把持された前記光ケーブルから口出しされた前記光ファイバを挿通させる挿通部とを備える把持部材であって、前記挿通部は、内側に変位可能な一対の側壁部を有しており、前記一対の側壁部の対向する内壁面によってスリットが形成されており、前記スリットは、断面矩形状の前記把持部材の外面に対して傾斜して形成されていることを特徴とする把持部材である。